(57)【特許請求の範囲】
【請求項１】
複数の槽本体部分からなる槽本体、前記複数の槽本体部分のそれぞれに少なくとも１つは設けられる複数の給水口、および非常時に非常取水栓以外の通常取水栓に対して前記槽本体内から水道水が抜け出すことを防止する流出防止手段を備え、前記複数の給水口はそれぞれ異なる前記通常取水栓に接続される少なくとも２以上の給水口を含む貯水槽を給水系管路に設置する貯水槽の設置方法であって、
（ａ）通常取水栓ならびに通常時には通常取水栓として兼用される非常取水栓よりも高い位置の屋内に前記槽本体を設置するステップ、
（ｂ）前記槽本体に給水圧が作用する水道水を供給する給水管を配管するステップ、
（ｃ）前記槽本体内の水道水に各給水口に対応する複数の流れができるように前記複数の給水口のそれぞれに配水管を接合するステップ、および
（ｄ）通常時には前記複数の流れにより水道水が広範囲で攪拌されて前記槽本体内の水道水が循環して、前記槽本体内の水道水が常に清潔に保たれるように、各配水管を前記通常取水栓ならびに前記非常取水栓に接続するステップを含み、
前記ステップ（ｃ）では、前記配水管の少なくとも１つを前記槽本体の最下部の給水口に接合し、
前記ステップ（ｄ）では、前記ステップ（ｃ）で前記槽本体の最下部の給水口に接合される配水管を接続する取水栓を前記非常取水栓とし、前記通常取水栓には前記流出防止手段により給水圧が作用しない非常時に開栓しても給水されずかつ前記非常取水栓には給水圧が作用しない非常時に開栓するだけで給水されるように各配水管を配管する、貯水槽の設置方法。
【請求項２】
複数の槽本体部分からなる槽本体、前記複数の槽本体部分の側面のそれぞれに少なくとも１つは設けられる複数の給水口、および非常時に非常取水栓以外の通常取水栓に対して前記槽本体内から水道水が抜け出すことを防止する流出防止手段を備え、前記複数の給水口はそれぞれ異なる前記通常取水栓に接続される少なくとも２以上の給水口を含む貯水槽を給水系管路に設置する貯水槽の設置方法であって、
（ａ）通常取水栓ならびに通常時には通常取水栓として兼用される非常取水栓よりも高い位置に前記槽本体を設置するステップ、
（ｂ）前記槽本体に給水圧が作用する水道水を供給する給水管を配管するステップ、
（ｃ）前記槽本体内の水道水に各給水口に対応する複数の流れができるように前記複数の給水口のそれぞれに配水管を接合するステップ、および
（ｄ）通常時には前記複数の流れにより水道水が広範囲で攪拌されて前記槽本体内の水道水が循環して、前記槽本体内の水道水が常に清潔に保たれるように、各配水管を前記通常取水栓ならびに前記非常取水栓に接続するステップを含み、
前記ステップ（ｃ）では、前記配水管の少なくとも１つを前記槽本体の最下部の給水口に接合し、
前記ステップ（ｄ）では、前記ステップ（ｃ）で前記槽本体の最下部の給水口に接合される配水管を接続する取水栓を前記非常取水栓とし、そして前記通常取水栓に接続する配水管の少なくとも１つを、前記流出防止手段として、一旦、前記槽本体の前記側面から上側に屈曲させて前記槽本体の最上部以上の高さまで立ち上げた後、前記通常取水栓に向けて下方へ延ばすようにして、前記通常取水栓には前記流出防止手段により給水圧が作用しない非常時に開栓しても給水されずかつ前記非常取水栓には給水圧が作用しない非常時に開栓するだけで給水されるように各配水管を配管する、貯水槽の設置方法。
【請求項３】
複数の槽本体部分からなる槽本体、前記複数の槽本体部分のそれぞれに少なくとも１つは設けられる複数の給水口、および非常時に非常取水栓以外の通常取水栓に対して前記槽本体内から水道水が抜け出すことを防止する流出防止手段を備え、前記複数の給水口はそれぞれ異なる前記通常取水栓に接続される少なくとも２以上の給水口を含む貯水槽を給水系管路に設置する貯水槽の設置方法であって、
（ａ）通常取水栓ならびに通常時には通常取水栓として兼用される非常取水栓よりも高い位置に前記槽本体を設置するステップ、
（ｂ）給水圧が作用する水道水を供給する給水管から前記複数の槽本体部分のそれぞれに水道水を導入する導入管を配管するステップ、
（ｃ）前記槽本体内の水道水に各給水口に対応する複数の流れができるように前記複数の給水口のそれぞれに配水管を接合するステップ、および
（ｄ）通常時には前記複数の流れにより水道水が広範囲で攪拌されて前記槽本体内の水道水が循環して、前記槽本体内の水道水が常に清潔に保たれるように、各配水管を前記通常取水栓ならびに前記非常取水栓に接続するステップを含み、
前記ステップ（ｃ）では、前記配水管の少なくとも１つを前記槽本体の最下部の給水口に接合し、
前記ステップ（ｄ）では、前記ステップ（ｃ）で前記槽本体の最下部の給水口に接合される配水管を接続する取水栓を前記非常取水栓とし、前記通常取水栓には前記流出防止手段により給水圧が作用しない非常時に開栓しても給水されずかつ前記非常取水栓には給水圧が作用しない非常時に開栓するだけで給水されるように各配水管を配管する、貯水槽の設置方法。
【請求項４】
槽本体、および前記槽本体にその配置位置を変えて設けられる複数の給水口を備え、前記複数の給水口はそれぞれ異なる通常取水栓に接続される少なくとも２以上の給水口を含む貯水槽を給水系管路に設置する貯水槽の設置方法であって、
（ａ）通常時には通常取水栓として兼用される非常取水栓よりも高い位置に前記槽本体を設置するステップ、
（ｂ）前記槽本体に給水圧が作用する水道水を供給する給水管を配管するステップ、
（ｃ）前記槽本体内の水道水に各給水口に対応する複数の流れができるように前記複数の給水口のそれぞれに配水管を接合するステップ、および
（ｄ）通常時には前記複数の流れにより水道水が広範囲で攪拌されて前記槽本体内の水道水が循環して、前記槽本体内の水道水が常に清潔に保たれるように、各配水管を前記通常取水栓ならびに前記非常取水栓に接続するステップを含み、
前記ステップ（ｃ）では、前記配水管の少なくとも１つを前記槽本体の最下部の給水口に接合し、
前記ステップ（ｄ）では、前記ステップ（ｃ）で前記槽本体の最下部の給水口に接合される配水管を接続する取水栓を前記非常取水栓とし、そして前記通常取水栓に接続する配水管には当該通常取水栓に対して前記槽本体内から水道水が抜け出すことを防止する止水手段を設けるようにして、前記通常取水栓には前記止水手段により給水圧が作用しない非常時に開栓しても給水されないが当該通常取水栓から前記槽本体内に空気が取り入れられかつ前記非常取水栓には前記通常取水栓が開栓されて吸気孔または吸排気孔の役目を果たすことによって給水圧が作用しない非常時に開栓するだけで給水されるように各配水管を配管する、貯水槽の設置方法。
【請求項５】
槽本体、および前記槽本体にその配置位置を変えて設けられる複数の給水口を備え、前記複数の給水口はそれぞれ異なる前記通常取水栓に接続される少なくとも２以上の給水口を含む貯水槽を給水系管路に設置する貯水槽の設置方法であって、
（ａ）通常取水栓よりも低くかつ通常時には通常取水栓として兼用される非常取水栓よりも高い位置に前記槽本体を設置するステップ、
（ｂ）前記槽本体に給水圧が作用する水道水を供給する給水管を配管するステップ、
（ｃ）前記槽本体内の水道水に各給水口に対応する複数の流れができるように前記複数の給水口のそれぞれに配水管を接合するステップ、および
（ｄ）通常時には前記複数の流れにより水道水が広範囲で攪拌されて前記槽本体内の水道水が循環して、前記槽本体内の水道水が常に清潔に保たれるように、各配水管を前記通常取水栓ならびに前記非常取水栓に接続するステップを含み、
前記ステップ（ｃ）では、前記配水管の少なくとも１つを前記槽本体の最下部の給水口に接合し、
前記ステップ（ｄ）では、前記ステップ（ｃ）で前記槽本体の最下部の給水口に接合される配水管を前記非常取水栓に接続するようにして、前記槽本体よりも高い位置に配置される前記通常取水栓には給水圧が作用しない非常時に開栓しても給水されずかつ前記槽本体よりも低い位置に配置される前記非常取水栓には給水圧が作用しない非常時に開栓するだけで給水されるように各配水管を配管する、貯水槽の設置方法。
【請求項６】
請求項１ないし５のいずれかに記載の設置方法によって設置された貯水槽であって、
槽本体、および前記槽本体にその配置位置を変えて設けられる複数の給水口を有し、
前記給水口のそれぞれが配水管を介して通常取水栓ならびに通常時には通常取水栓として兼用される非常取水栓に連結されるとともに、非常時に非常取水栓以外の通常取水栓に対して前記槽本体内から水道水が抜け出すことが前記流出防止手段によって防止された、貯水槽。
【請求項７】
給水系管路に設けられ、通常時には通常取水栓として兼用される非常取水栓に給水圧が作用しない非常時にも開栓するだけで給水できるように前記非常取水栓よりも高い位置に配置される貯水槽であって、
管部と、前記管部の両端を封止しかつその側壁の内面が前記管部の内面より外側に配置されるキャップ部とを有する槽本体、および
前記槽本体にその配置位置を変えて設けられる複数の給水口を備え、
前記複数の給水口は、それぞれ異なる通常取水栓に接続される少なくとも２以上の給水口と、キャップ部に設けられて前記槽本体内の水道水を配水管を介して前記非常取水栓に給水する少なくとも１つの給水口とを含み、
前記非常取水栓に給水する給水口は、前記管部の管底と前記側壁の内面の最下部との間の高さに設けられて、前記キャップ部の中で前記管部の管底より低い位置に形成された空間に連通される、貯水槽。
【請求項８】
給水系管路に設けられる貯水槽であって、
管部と、前記管部の両端を封止しかつその側壁の内面が前記管部の内面より外側に配置されるキャップ部とを有する槽本体、および
前記槽本体にその配置位置を変えて設けられる複数の給水口を備え、
前記複数の給水口は、それぞれ異なる通常取水栓に接続される少なくとも２以上の給水口と、キャップ部に設けられて前記槽本体内の水道水を配水管を介して通常時には通常取水栓として兼用される非常取水栓に給水する少なくとも１つの給水口とを含み、
前記非常取水栓に給水する給水口は、前記管部の管底と前記側壁の内面の最下部との間の高さに設けられて、前記キャップ部の中で前記管部の管底より低い位置に形成された空間に連通される、貯水槽。
【発明の詳細な説明】
【技術分野】
【０００１】
この発明は、貯水槽および貯水槽の設置方法に関し、特にたとえば、非常時に家庭で用いられ得る飲料水などを貯える、貯水槽および貯水槽の設置方法に関する。
【背景技術】
【０００２】
従来の貯水槽の一例が、特許文献１〜４に開示されている。
【０００３】
この特許文献１の貯水槽では、複数の貯水槽を直列に接続している。
【０００４】
特許文献２の貯水槽では、貯水槽の内部に開口部を有する仕切り板を固定している。
【０００５】
特許文献３の貯水槽では、貯水槽の流入口および流出口の近傍に流水間隔を開けて導水管を設けている。
【０００６】
特許文献４の貯水槽では、貯水槽の内部に流況制御板を設けている。
【０００７】
特許文献５の貯水槽では、貯水槽の上手側に給水管が配管され、貯水槽の下手側の上端側に送水管が配管されている。
【０００８】
特許文献６の貯水槽では、貯水槽に給水管およびオーバーフロー管が接続される。給水管は分岐し、一方は非常時に利用される上水取出管に接続され、他方はロータンクに接続されている。
【特許文献１】特開平９−１９５３２６号公報［Ｅ０３Ｂ  １１／００、Ｂ６５Ｄ  ８８／７６、Ｂ６５Ｄ  ９０／００、Ｅ０４Ｈ  ７／１６］
【特許文献２】特開平１１−４９２８２号公報［Ｂ６５Ｄ  ９０／０２、Ｂ６５Ｄ  ２５／０４、Ｅ０３Ｂ  ７／０７、Ｅ０３Ｂ  １１／１０、Ｆ１７Ｄ  １／０８］
【特許文献３】特開平８−２６８４９４号公報［Ｂ６５Ｄ  ９０／００、Ｅ０３Ｂ  １１／１４］
【特許文献４】特開平７−４１０８４号公報［Ｂ６５Ｄ  ９０／００］
【特許文献５】特開２００４−２３８８２０号公報［Ｅ０３Ｂ  １１／０２、Ｅ０３Ｂ  １１／１４］
【特許文献６】特許番号２９０５８３９号公報［Ｅ０３Ｂ  １１／００、Ａ４７Ｋ  ４／００、Ｅ０３Ｂ  １１／０２］
【発明の概要】
【発明が解決しようとする課題】
【０００９】
このような特許文献１〜４の従来技術の貯水槽はいずれも大規模なので、戸建や集合住宅などの家庭用には向かない。
【００１０】
特許文献５の従来技術の貯水槽では、１つの貯水槽に１つの送水管しか接続されていないため、貯水槽内の水の入れ替え速度が遅く、衛生面で問題がある。
【００１１】
特許文献６の従来技術の貯水槽では、水道水が貯水槽に供給される際に貯水された水道水に給水圧が作用せず、滞留する部分ができる。しかも、貯水槽内に空気が存在するため、衛生面で問題がある。
【００１２】
それゆえに、この発明の主たる目的は、メンテナンスフリーで非常時に家庭用飲料とし
て用いられる清潔な水を確保することができる、貯水槽および貯水槽の設置方法を提供することである。
【課題を解決するための手段】
【００１３】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【００１４】
請求項１の発明は、複数の槽本体部分からなる槽本体、複数の槽本体部分のそれぞれに少なくとも１つは設けられる複数の給水口、および非常時に非常取水栓以外の通常取水栓に対して槽本体内から水道水が抜け出すことを防止する流出防止手段を備え、複数の給水口はそれぞれ異なる通常取水栓に接続される少なくとも２以上の給水口を含む貯水槽を給水系管路に設置する貯水槽の設置方法であって、（ａ）通常取水栓ならびに通常時には通常取水栓として兼用される非常取水栓よりも高い位置の屋内に槽本体を設置するステップ、（ｂ）槽本体に給水圧が作用する水道水を供給する給水管を配管するステップ、（ｃ）槽本体内の水道水に各給水口に対応する複数の流れができるように複数の給水口のそれぞれに配水管を接合するステップ、および（ｄ）通常時には複数の流れにより水道水が広範囲で攪拌されて槽本体内の水道水が循環して、槽本体内の水道水が常に清潔に保たれるように、各配水管を通常取水栓ならびに非常取水栓に接続するステップを含み、ステップ（ｃ）では、配水管の少なくとも１つを槽本体の最下部の給水口に接合し、ステップ（ｄ）では、ステップ（ｃ）で槽本体の最下部の給水口に接合される配水管を接続する取水栓を非常取水栓とし、通常取水栓には流出防止手段により給水圧が作用しない非常時に開栓しても給水されずかつ非常取水栓には給水圧が作用しない非常時に開栓するだけで給水されるように各配水管を配管する、貯水槽の設置方法である。
【００１５】
請求項２の発明は、複数の槽本体部分からなる槽本体、複数の槽本体部分の側面のそれぞれに少なくとも１つは設けられる複数の給水口、および非常時に非常取水栓以外の通常取水栓に対して槽本体内から水道水が抜け出すことを防止する流出防止手段を備え、複数の給水口はそれぞれ異なる通常取水栓に接続される少なくとも２以上の給水口を含む貯水槽を給水系管路に設置する貯水槽の設置方法であって、（ａ）通常取水栓ならびに通常時には通常取水栓として兼用される非常取水栓よりも高い位置に槽本体を設置するステップ、（ｂ）槽本体に給水圧が作用する水道水を供給する給水管を配管するステップ、（ｃ）槽本体内の水道水に各給水口に対応する複数の流れができるように複数の給水口のそれぞれに配水管を接合するステップ、および（ｄ）通常時には複数の流れにより水道水が広範囲で攪拌されて槽本体内の水道水が循環して、槽本体内の水道水が常に清潔に保たれるように、各配水管を通常取水栓ならびに非常取水栓に接続するステップを含み、ステップ（ｃ）では、配水管の少なくとも１つを槽本体の最下部の給水口に接合し、ステップ（ｄ）では、ステップ（ｃ）で槽本体の最下部の給水口に接合される配水管を接続する取水栓を非常取水栓とし、そして通常取水栓に接続する配水管の少なくとも１つを、流出防止手段として、一旦、槽本体の側面から上側に屈曲させて槽本体の最上部以上の高さまで立ち上げた後、通常取水栓に向けて下方へ延ばすようにして、通常取水栓には流出防止手段により給水圧が作用しない非常時に開栓しても給水されずかつ非常取水栓には給水圧が作用しない非常時に開栓するだけで給水されるように各配水管を配管する、貯水槽の設置方法である。
【００１６】
請求項３の発明は、複数の槽本体部分からなる槽本体、複数の槽本体部分のそれぞれに少なくとも１つは設けられる複数の給水口、および非常時に非常取水栓以外の通常取水栓に対して槽本体内から水道水が抜け出すことを防止する流出防止手段を備え、複数の給水口はそれぞれ異なる通常取水栓に接続される少なくとも２以上の給水口を含む貯水槽を給水系管路に設置する貯水槽の設置方法であって、（ａ）通常取水栓ならびに通常時には通常取水栓として兼用される非常取水栓よりも高い位置に槽本体を設置するステップ、（ｂ）給水圧が作用する水道水を供給する給水管から複数の槽本体部分のそれぞれに水道水を導入する導入管を配管するステップ、（ｃ）槽本体内の水道水に各給水口に対応する複数の流れができるように複数の給水口のそれぞれに配水管を接合するステップ、および（ｄ）通常時には複数の流れにより水道水が広範囲で攪拌されて槽本体内の水道水が循環して、槽本体内の水道水が常に清潔に保たれるように、各配水管を通常取水栓ならびに非常取水栓に接続するステップを含み、ステップ（ｃ）では、配水管の少なくとも１つを槽本体の最下部の給水口に接合し、ステップ（ｄ）では、ステップ（ｃ）で槽本体の最下部の給水口に接合される配水管を接続する取水栓を非常取水栓とし、通常取水栓には流出防止手段により給水圧が作用しない非常時に開栓しても給水されずかつ非常取水栓には給水圧が作用しない非常時に開栓するだけで給水されるように各配水管を配管する、貯水槽の設置方法である。
【００１７】
請求項４の発明は、槽本体、および槽本体にその配置位置を変えて設けられる複数の給水口を備え、複数の給水口はそれぞれ異なる通常取水栓に接続される少なくとも２以上の給水口を含む貯水槽を給水系管路に設置する貯水槽の設置方法であって、（ａ）通常時には通常取水栓として兼用される非常取水栓よりも高い位置に槽本体を設置するステップ、（ｂ）槽本体に給水圧が作用する水道水を供給する給水管を配管するステップ、（ｃ）槽本体内の水道水に各給水口に対応する複数の流れができるように複数の給水口のそれぞれに配水管を接合するステップ、および（ｄ）通常時には複数の流れにより水道水が広範囲で攪拌されて槽本体内の水道水が循環して、槽本体内の水道水が常に清潔に保たれるように、各配水管を通常取水栓ならびに非常取水栓に接続するステップを含み、ステップ（ｃ）では、配水管の少なくとも１つを槽本体の最下部の給水口に接合し、ステップ（ｄ）では、ステップ（ｃ）で槽本体の最下部の給水口に接合される配水管を接続する取水栓を非常取水栓とし、そして通常取水栓に接続する配水管には当該通常取水栓に対して槽本体内から水道水が抜け出すことを防止する止水手段を設けるようにして、通常取水栓には止水手段により給水圧が作用しない非常時に開栓しても給水されないが当該通常取水栓から槽本体内に空気が取り入れられかつ非常取水栓には通常取水栓が開栓されて吸気孔または吸排気孔の役目を果たすことによって給水圧が作用しない非常時に開栓するだけで給水されるように各配水管を配管する、貯水槽の設置方法である。
【００１８】
請求項５の発明は、槽本体、および槽本体にその配置位置を変えて設けられる複数の給水口を備え、複数の給水口はそれぞれ異なる通常取水栓に接続される少なくとも２以上の給水口を含む貯水槽を給水系管路に設置する貯水槽の設置方法であって、（ａ）通常取水栓よりも低くかつ通常時には通常取水栓として兼用される非常取水栓よりも高い位置に槽本体を設置するステップ、（ｂ）槽本体に給水圧が作用する水道水を供給する給水管を配管するステップ、（ｃ）槽本体内の水道水に各給水口に対応する複数の流れができるように複数の給水口のそれぞれに配水管を接合するステップ、および（ｄ）通常時には複数の流れにより水道水が広範囲で攪拌されて槽本体内の水道水が循環して、槽本体内の水道水が常に清潔に保たれるように、各配水管を通常取水栓ならびに非常取水栓に接続するステップを含み、ステップ（ｃ）では、配水管の少なくとも１つを槽本体の最下部の給水口に接合し、ステップ（ｄ）では、ステップ（ｃ）で槽本体の最下部の給水口に接合される配水管を非常取水栓に接続するようにして、槽本体よりも高い位置に配置される通常取水栓には給水圧が作用しない非常時に開栓しても給水されずかつ槽本体よりも低い位置に配置される非常取水栓には給水圧が作用しない非常時に開栓するだけで給水されるように各配水管を配管する、貯水槽の設置方法である。
【００１９】
請求項６の発明は、請求項１ないし５のいずれかに記載の設置方法によって設置された貯水槽であって、槽本体、および槽本体にその配置位置を変えて設けられる複数の給水口を有し、給水口のそれぞれが配水管を介して通常取水栓ならびに通常時には通常取水栓として兼用される非常取水栓に連結されるとともに、非常時に非常取水栓以外の通常取水栓に対して槽本体内から水道水が抜け出すことが流出防止手段によって防止された、貯水槽である。
【００２０】
請求項７の発明は、給水系管路に設けられ、通常時には通常取水栓として兼用される非常取水栓に給水圧が作用しない非常時にも開栓するだけで給水できるように非常取水栓よりも高い位置に配置される貯水槽であって、管部と、管部の両端を封止しかつその側壁の内面が管部の内面より外側に配置されるキャップ部とを有する槽本体、および槽本体にその配置位置を変えて設けられる複数の給水口を備え、複数の給水口は、それぞれ異なる通常取水栓に接続される少なくとも２以上の給水口と、キャップ部に設けられて槽本体内の水道水を配水管を介して非常取水栓に給水する少なくとも１つの給水口とを含み、非常取水栓に給水する給水口は、管部の管底と側壁の内面の最下部との間の高さに設けられて、キャップ部の中で管部の管底より低い位置に形成された空間に連通される、貯水槽である。
【００２１】
請求項８の発明は、給水系管路に設けられる貯水槽であって、管部と、管部の両端を封止しかつその側壁の内面が管部の内面より外側に配置されるキャップ部とを有する槽本体、および槽本体にその配置位置を変えて設けられる複数の給水口を備え、複数の給水口は、それぞれ異なる通常取水栓に接続される少なくとも２以上の給水口と、キャップ部に設けられて槽本体内の水道水を配水管を介して通常時には通常取水栓として兼用される非常取水栓に給水する少なくとも１つの給水口とを含み、非常取水栓に給水する給水口は、管部の管底と側壁の内面の最下部との間の高さに設けられて、キャップ部の中で管部の管底より低い位置に形成された空間に連通される、貯水槽である。
【発明の効果】
【００２２】
この発明によれば、給水管が接続する槽本体に複数の給水口を設けることにより、メンテナンスフリーで非常時に家庭用飲料として用いられる清潔な水を槽本体に確保することができる。
【００２３】
この発明の上述の目的，その他の目的，特徴および利点は、図面を参照して行う以下の実施例の詳細な説明から一層明らかとなろう。
【図面の簡単な説明】
【００２４】
【図１】この発明の一実施例の貯水槽を家に配置した状態を示す平面図である。
【図２】貯水槽を示す斜視図である。
【図３】（Ａ）は図２の貯水槽の槽本体を傾けた状態を示す斜視図であり、（Ｂ）は（Ａ）の平面図である。
【図４】この発明の別の実施例の貯水槽を示す断面図である。
【図５】図２の貯水槽に取水口を設けた状態を示す斜視図である。
【図６】図２の貯水槽にポンプを接続した状態を示す平面図である。
【図７】図２の貯水槽の槽本体の内部にオリフィス板を取り付けた状態を示す斜視図である。
【図８】この発明のさらに別の実施例の貯水槽を示す斜視図である。
【図９】この発明のさらに別の実施例の貯水槽を示す斜視図である。
【図１０】図９の貯水槽の槽本体を傾けた状態を示す斜視図である。
【図１１】この発明のさらに別の実施例の貯水槽を示す斜視図である。
【図１２】この発明のさらに別の実施例の貯水槽を示す斜視図である。
【図１３】この発明のさらに別の実施例の貯水槽を示す斜視図である。
【図１４】この発明のさらに別の実施例の貯水槽を示す斜視図である。
【図１５】この発明のさらに別の実施例の貯水槽を示す平面図である。
【図１６】図１５の貯水槽における槽本体の第２キャップ側を示す平面図である。
【図１７】図１５の貯水槽における槽本体の第１キャップ側を示す平面図である。
【図１８】図１５の貯水槽における槽本体の第３槽本体部分側を示す平面図である。
【図１９】図１５の貯水槽における槽本体の第５槽本体部分側を示す平面図である。
【図２０】（Ａ）は槽本体部分のキャップ部を示す平面図であり、（Ｂ）は（Ａ）の断面図であり、（Ｃ）は水道水が槽本体部分に流入している第１キャップ側の状態を示す断面図である。
【図２１】この発明のさらに別の実施例の貯水槽を示す平面図である。
【図２２】この発明のさらに別の実施例の貯水槽を示す平面図である。
【図２３】図２２の貯水槽における槽本体の第２キャップ側を示す平面図である。
【図２４】この発明のさらに別の実施例の貯水槽を示す平面図である。
【図２５】図２４の貯水槽における槽本体の第８槽本体部分側を示す平面図である。
【図２６】図２４の貯水槽における槽本体の第１キャップ側を示す平面図である。
【図２７】図２４の貯水槽における槽本体の第２キャップ側を示す平面図である。
【図２８】この発明のさらに別の実施例の貯水槽を示す平面図である。
【図２９】図２８の貯水槽における槽本体の第２キャップ側を示す平面図である。
【図３０】図２８の貯水槽における槽本体の第１キャップ側を示す平面図である。
【図３１】この発明のさらに別の実施例の貯水槽を示す平面図である。
【発明を実施するための形態】
【００２５】
図１に示すこの発明の一実施例である貯水槽１０は、槽本体１２を備え、槽本体１２は家１４の中で強度の高い場所、つまり柱の多い場所など、好適な場所に配置される。たとえば、浴室１６の上、トイレの上あるいは屋根裏２０などである。また、屋上のある家では屋上の設置も可能である。そして、貯水槽１０はその場所で給水系管路に接続される。給水系管路は水道管２２から宅内へ延びる給水管２４を含み、貯水槽１０は給水管２４に宅内の各取水栓を接続して、宅内に水道水を供給するために用いられる。つまり、この実施例では、貯水槽１０は給水ヘッダとして機能するとともに、非常用貯水槽としても機能する。
【００２６】
槽本体１２は、図２に示すように、たとえば硬質塩化ビニルやポリエチレンなど合成樹脂製パイプであり、その両開口は導入面２６および導出面２８で塞がれる。槽本体１２の内容量はたとえば、４５リットルであり、その大きさはφ１５０のパイプで長さ２．７ｍであり、またφ２００のパイプで長さ１．５ｍである。４５リットルは５人家族の３日間の飲料用水使用量に相当する。
【００２７】
導入面２６には導入口３０が設けられ、導入口３０に給水管２４が接続される。導出面２８には複数、この実施例では５つの給水口３２ａ、３２ｂ、３２ｃ、３２ｄ、３２ｅが設けられ、各給水口３２にそれぞれ配水管３４ａ、３４ｂ、３４ｃ、３４ｄ、３４ｅが接続される。配水管３４は、たとえば可撓性のある合成樹脂管などであり、配水管３４に宅内の通常取水栓が接続される。たとえば、図１および図２に示すように、配水管３４ａは洗面所３６の給水栓に、配水管３４ｂはトイレ１８のタンクに、配水管３４ｃはキッチン３８の給水栓に、配水管３４ｄは給湯器３９に、配水管３４ｅは浴室１６の給水栓１６ａに接続される。配水管３４ｅは導出面２８の最下部の給水口３２ｅに接続されて、貯水槽１０の下位にある浴室１６の給水栓１６ａに連結される。浴室１６の給水栓１６ａは通常時に通常取水栓として使用されるが、非常時には非常取水栓として使用される。
【００２８】
槽本体１２の側面の最上部に吸気孔や吸排気孔４０などが設けられ、吸排気孔４０に吸排気弁４２が取り付けられる。
【００２９】
通常、水道水は水道管２２から給水管２４を通り槽本体１２に供給され、槽本体１２に貯えられる。そして、通常取水栓が使用されると、槽本体１２内に貯水されている水道水は配水管３４を通ってその通常取水栓へ供給され、それに伴い新たな水道水が給水管２４から貯水槽１０内へ供給される。つまり、生活用水が使用される度に槽本体１２内に貯えられている水道水は給水管２４から供給される新たな水道水へ入れ替わる。このため、槽本体１２内の水道水は循環し、常に衛生的に保たれる。
【００３０】
非常時、水道水に給水圧が作用していない場合に浴室１６の給水栓１６ａを使用すると、槽本体１２内の水道水は配水管３４ｅを通って自然流下し、槽本体１２の下位にある浴室１６の給水栓１６ａから流れ出す。このとき、水道水が槽本体１２から流出しても、空気が吸排気弁４２から槽本体１２に吸引され、それに伴い槽本体１２の内部の圧力は大気圧に保たれるため、槽本体１２の水道水は自然流下し続ける。
【００３１】
このように、槽本体１２に複数の給水口３２を設けることにより、槽本体１２内の水道水に各給水口３２に対応する流れができるため、槽本体１２内に水道水が滞留する部分はなく、槽本体１２内の水道水は広範囲で攪拌されて、槽本体１２内の全ての水道水は衛生的である。しかも、各給水口３２に通常取水栓を接続すれば、槽本体１２内の水道水は宅内の生活用水として使用されるため、ほぼ常に各給水口３２から取り出される。これに伴い新しい水道水が給水管２４から槽本体１２へ供給されるため、槽本体１２内の水道水は効率良く入れ替わる。よって、槽本体１２の清掃など特別なメンテナンスをしなくても、槽本体１２内の水道水は循環して常に清潔に保たれ、非常時にも清潔な水を得られる。
【００３２】
そして、通常取水栓の浴室１６の給水栓１６ａを非常取水栓に兼用すると、貯水槽１０内の給水口３２ｅの周りの水道水や配水管３４ｅ内の水道水などは生活用水として普段使用されるため、このような水道水もほぼ滞留することなく清潔に保たれる。
【００３３】
また、硬質塩化ビニルやポリエチレンなど合成樹脂製パイプを槽本体１２に用いると、槽本体１２は機械的性質、特に可撓性に優れるため、地震などが発生しても槽本体１２に亀裂などが入りにくく、槽本体１２の水道水は確保される。特に、浴室１６の上は家１４の中では柱が多く、かつその柱の間隔が狭くて強固であり、また非常取水栓としての浴室１６の給水栓１６ａに近いため、槽本体１２を浴室１６の上に配置すれば、地震時にも槽本体１２および配水管３４は破損しにくい。そして、槽本体１２内の水道水は浴室１６の上にある槽本体１２から下位にある浴室１６の給水栓１６ａへ自然流下するため、非常時に給水圧が作用していなくても、槽本体１２内の水道水を浴室１６の給水栓１６ａから得られる。
【００３４】
この硬質塩化ビニルやポリエチレンなど合成樹脂製パイプは汎用性が高いため、貯水槽１０を安価に設けられる。そして、パイプの径の種類も豊富であるため、パイプの径を選択し、かつパイプの長さを選択または調整すれば、槽本体１２の大きさを槽本体１２の配置スペースに対応させられ、設置場所の制約は少ない。その槽本体１２の配置も、槽本体１２を従来の給水系管路に設ければよく、新築住宅のみならず、リフォームの際にも簡単に設置することができる。
【００３５】
なお、槽本体１２に吸気孔または吸排気孔４０などを設け、吸排気孔４０に吸排気弁４２を取り付けたが、吸排気孔４０および吸排気弁４２を設けなくてもよい。この場合、非常取水栓としての浴室１６の給水栓１６ａ以外の取水栓を開けば、その取水栓は吸排気孔の役目を果たす。
【００３６】
また、槽本体１２を傾斜させて配置することもできる。図３（Ａ）および図３（Ｂ）に示すように、槽本体１２の導入面２６を槽本体１２の導出面２８より上側になるように槽本体１２を角度θ傾ける。浴室１６の給水栓１６ａ（図１）に接続する給水口３２ｅは槽本体１２の最下部になり、吸排気弁４２を取り付けた吸排気孔４０は槽本体１２の最上部になる。これにより、槽本体１２の底部が傾き、槽本体１２内の水道水は槽本体１２の最下部に集まって給水口３２ｅから浴室１６の給水栓１６ａに供給され、空気は吸排気弁４２から吸引されるため、槽本体１２内の水道水を残らず全て取り出せる。
【００３７】
この槽本体の底部を傾斜させる別の方法として、図４に示す槽本体４３を用いることができる。この槽本体４３は図２に示す槽本体１２とほぼ同様であるが、図４に示す槽本体４３の底部自体に傾きが付けられている。つまり、図２に示す槽本体１２の底部は導入面２６および導出面２８に対して直角であるが、図５に示す槽本体４３の底部は導入面２６に対して角度（９０＋θ）度であり、導出面２８に対して角度（９０−θ）度である。このため、この槽本体４３を水平面に配置し、導入面２６および導出面２８を水平面に対し
て直角にすれば、槽本体４３の底部は水平面に対して傾く。
【００３８】
また、図１に示すように、槽本体１２を浴室１６の上に配置したが、槽本体１２を床下４４など居住空間の下に配置することもできる。図５に示すように槽本体１２の側部に取水口４８を設け、この取水口４８に蓋５０を取り付けておく。そして、非常時に蓋５０を外して、取水口４８から槽本体１２内の水道水を手動ポンプや電動ポンプなどにより直接汲み上げる。この場合、非常取水栓を設けなくてもよい。また、非常取水栓を導出面２８の最下部に直接に取り付けておけば、この非常取水栓から水道水を供給することもできる。
【００３９】
この他に、槽本体１２を地中４６などに配置する場合、図５に示す取水口４８からでなく浴室１６の給水栓１６ａ（図１）などの非常取水栓から槽本体１２内の水道水を取り出すこともできる。図６に示すように、ポンプ４９ａを槽本体１２に取り付ける。ポンプ４９ａは蓄電池４９ｂに接続され、蓄電池４９ｂは家庭用電源４９ｃなどに接続される。蓄電池４９ｂは通常時家庭用電源４９ｃなどから充電される。そして、非常時に蓄電池４９ｂによってポンプ４９ａを作動させると、ポンプ４９ａの圧力により槽本体１２内の水道水はポンプ４９ａに接続されている非常取水栓に供給される。
【００４０】
さらに、槽本体１２の内部に図７に示すオリフィス板５２を設けることもできる。オリフィス板５２は平板で、複数、この実施例では２つのオリフィス孔５４を有する。オリフィス板５２は槽本体１２の管軸に対して垂直に、槽本体１２の長手方向のほぼ中央に設けられる。２つのオリフィス孔５４の内の一方のオリフィス孔５４ａは槽本体１２の上部に、他方のオリフィス孔５４ｂは槽本体１２の下部に配置される。
【００４１】
通常時、水道水は給水管２４から槽本体１２に流入し、この２つのオリフィス孔５４を通る。このとき、水道水は径の大きな槽本体１２から径の小さなオリフィス孔５４へ導入されるため、オリフィス孔５４を通過する際に水道水の流速は増加して、槽本体１２内の水道水は広範囲かつ高速で攪拌される。よって、槽本体１２内の水道水は槽本体１２の隅まで循環し、さらに衛生的に保たれる。
【００４２】
非常時、給水圧が作用しなくなると槽本体１２内の水道水は主に下側のオリフィス孔５４ｂを通って槽本体１２の最下部の給水口３２ｅへ流れ、空気は吸排気弁４２から吸引されて上側のオリフィス孔５４ａを通って供給される。
【００４３】
なお、図５〜図７に示す実施例の槽本体１２を図３（Ａ）に示すように傾けてもよいし、図５〜図７に示す実施例の槽本体１２の代わりに図４に示す槽本体４３を用いてもよい。
【００４４】
図８に示すこの発明の他の実施例である貯水槽１０の槽本体５１は図２に示す槽本体１２とほぼ同じであるが、配水管の接続方法が異なる。図２に示す槽本体１２には複数の給水口３２が設けられ、各給水口３２に配水管３４が直接接続されていたが、図８に示す槽本体５１には、たとえば２つの給水口５３、１５３が設けられ、一方の給水口５３に配水管５５が接続され、その配水管５５が分岐している。これ以外の部分に関しては図２実施例の示す槽本体１２と同様であるため、説明は省略する。
【００４５】
導入面２６の導入口３０に給水管２４が接続される。また、導出面２８に、たとえば２つの給水口５３、１５３が設けられ、給水口１５３は給水口５３より上側に配置される。給水口５３、１５３にそれぞれ配水管５５、１５５が接続され、配水管１５５は宅内の通常取水栓に接続される。また、配水管５５は複数、この実施例では５つの配水管５５ａ、５５ｂ、５５ｃ、５５ｄ、５５ｅに分岐し、各配水管５５は宅内の通常取水栓に接続され
る。この配水管５５の内の１つの配水管５５ｅは下側に曲がり、たとえば図１に示す浴室１６の給水栓１６ａに連結する。この浴室１６の給水栓１６ａは通常時に通常取水栓として使用されるが、非常時には非常取水栓として使用される。これ以外の配水管５５ａ、５５ｂ、５５ｃ、５５ｄは上側に曲がり槽本体５１より上位に配置され、通常取水栓、たとえば洗面所の給水栓やトイレのタンクなどに接続される。
【００４６】
このように、非常取水栓に接続せず通常取水栓のみに接続する配水管５５ａ、５５ｂ、５５ｃ、５５ｄを曲げて槽本体５１より上位に配置し、配水管１５５が接続される給水口１５３を給水口５３より上側に配置し、かつ吸排気弁４２などの吸気手段を併設してサイフォン現象を防止すれば、槽本体５１内の水道水は配水管５５ａ、５５ｂ、５５ｃ、５５ｄ、１５５に流れない。このため、槽本体５１内の水道水は非常取水栓に接続する配水管５５ｅのみに流れ、無駄なく槽本体５１内の水道水を非常取水栓から取り出すことができる。
【００４７】
なお、導出面２８に給水口５３、１５３を設けたが、給水口１５３を設けず、給水口５３のみを設けてもよい。
【００４８】
また、導入面２８を槽本体５１の外側に向かって突出する円錐形状に形成し、円錐形の頂上に給水口５３を設けてもよい。
【００４９】
さらに、槽本体５１を傾斜させて配置したり、槽本体５１の代わりに図４の槽本体４３を用いたりすることができる。また、槽本体５１を地中４６（図１）などに配置して、槽本体５１に図５に示す取水口４８などを設けたり、図６のポンプ４９ａなどを接続したりすることもできる。さらに、槽本体５１の内部に図７に示すオリフィス板５２を設けることもできる。
【００５０】
図９に示すこの発明の他の実施例である貯水槽１０は槽本体５６を備える。槽本体５６は複数、この実施例では３つの槽本体部分５８を含み、３つの槽本体部分５８は導入管６０および配水管３４により並列に接続されて、たとえば、浴室１６（図１）の上に配置される。
【００５１】
槽本体部分５８は、図２に示す槽本体１２の径より小径の硬質塩化ビニルやポリエチレンなど合成樹脂製パイプなどであり、その両開口は導入面２６および導出面２８で塞がれる。３つの槽本体部分５８の内容量を合わせた全内容量はたとえば、４５リットルである。
【００５２】
導入面２６には導入口３０が設けられ、導入口３０に導入管６０が接続される。導入管６０は給水管２４に接続され、たとえば３つの槽本体部分５８のそれぞれに接続される。導出面２８には複数、この実施例では２つの給水口３２が設けられる。その内の一方の上側の給水口３２ｆは槽本体部分５８の最上部に位置し、配水管３４ｆと接続される。配水管３４ｆはそれぞれ宅内の通常取水栓（図１）、たとえば、洗面所３６やキッチン３８などの給水栓、またはトイレ１８のタンクに接続される。他方の下側の給水口３２ｈは槽本体部分５８の最下部に位置し、配水管３４ｈと接続される。そして、槽本体部分５８に接続される、たとえば３つの配水管３４ｈは１つに連結されて、非常時に非常取水栓として利用される通常取水栓、たとえば浴室１６の給水栓１６ａ（図１）に接続される。
【００５３】
各槽本体部分５８の最上部に吸気孔または吸排気孔４０などが設けられ、吸排気孔４０に吸排気弁４２が取り付けられる。
【００５４】
この貯水槽１０を通常時に使用する場合、水道水は給水管２４から３つに分かれて導入
管６０へ流入し、各槽本体部分５８に導入される。そして、その一部は最上部の給水口３２ｆから配水管３４ｆを通って各通常取水栓に供給される。他の一部は最下部の給水口３２ｈから配水管３４ｈを通って、浴室１６の給水栓１６ａ（図１）に供給される。
【００５５】
非常時に貯水槽１０を使用する場合、非常取水栓として浴室１６の給水栓１６ａ（図１）を開けると、吸排気弁４２から吸気しながら、槽本体部分５８内の水道水は配水管３４ｈを通って自然流下し、浴室１６の給水栓１６ａから取り出される。
【００５６】
このように、槽本体５６に小径の槽本体部分５８を用いると、槽本体部分５８内の水道水の流れは速くなり、水道水の循環効率が高まり、水道水の清浄度が増す。
【００５７】
そして、複数の小径の槽本体部分５８を用いて、槽本体部分５８を上下に重ねたり、横に並べたりすることにより、槽本体５６の形状を貯水槽１０の設置場所に合わせられる。
【００５８】
また、槽本体５６を地中４６（図１）に埋設する場合、槽本体部分５８の径が小さいから、槽本体５６を埋設するための掘削孔を浅くすることができ、工事規模を抑えられる。
【００５９】
なお、この槽本体部分５８をそれぞれ傾斜させて配置することもできる。図１０に示すように、各槽本体部分５８を角度θ傾け、導入面２６が導出面２８より上になるようにする。各槽本体部分５８の最上部に吸気孔や吸排気孔４０などを設け、吸排気孔４０に吸排気弁４２を取り付ける。非常時には、各槽本体部分５８の水道水は槽本体部分５８の傾いた底部上を流下して、最下部に設けられる給水口３２ｈに集められ、配水管３４ｈ内を自然流下して、非常取水栓から取り出される。
【００６０】
また、図９および図１０の槽本体５６を地中４６などに配置して、槽本体部分５８に図５に示す取水口４８などを設けたり、図６のポンプ４９ａなどを接続したりすることもできる。また、槽本体部分５８の内部に図７に示すオリフィス板５２を設けることもできる。さらに、各槽本体部分５８の代わりに図４の槽本体４３と同様に底部を傾けた槽本体部分を用いてもよい。
【００６１】
さらに、図９および図１０の槽本体５６において、３つの槽本体部分５８のそれぞれから延びる配水管３４ｈは１つに連結されている。このため、水道水が、導入管６０から各槽本体部分５８へ供給されるだけでなく、配水管３４ｈを通じて槽本体部分５８へ供給される場合もある。
【００６２】
そして、図９および図１０において、３つの配水管３４ｈを１つに連結したが、３つの配水管３４ｈを連結しなくてもよい。この場合、層本体部分５８から延びる配水管３４ｈをそれぞれ非常時に非常取水栓として利用される別々の通常取水栓に接続される。
【００６３】
図１１に示すこの発明の他の実施例である貯水槽１０は、図９に示す貯水槽１０とほぼ同じであるが、給水口３２および配水管３４の配置が異なる。これ以外の部分に関しては図１実施例の示す貯水槽１０と同様であるため、説明は省略する。
【００６４】
槽本体部分５８は、両開口が導入面２６および導出面２８で塞がれた合成樹脂製パイプなどにより形成される。
【００６５】
導入面２６には導入口３０および給水口３２ｐが設けられ、導入口３０は槽本体部分５８の最上部に位置し、給水口３２ｑは槽本体部分５８の最下部に位置する。導入口３０に給水管２４を分岐した導入管６０が接続される。給水口３２ｐに配水管３４ｐが接続され、各槽本体部分５８の給水口３２ｐから延びる、たとえば３つの配水管３４ｐは１つに連
結されて、非常時に非常取水栓として利用される通常取水栓、たとえば浴室１６の給水栓１６ａ（図１）に接続される。
【００６６】
導出面２８には給水口３２ｑが設けられ、給水口３２ｑは槽本体部分５８の最下部に位置する。給水口３２ｑに配水管３４ｑが接続され、配水管３４ｑに水道水の供給を止める止水手段を設けられる。止水手段には、配水管３４ｆを曲げて槽本体部分５８より上位に配置する方法が採られる。そして、槽本体部分５８から延びる、たとえば３つの配水管３４ｑにそれぞれ宅内の通常取水栓（図１）が接続される。
【００６７】
このように、非常取水栓に接続せず通常取水栓のみに接続する配水管３４ｑに止水手段を設け、かつ吸排気弁４２など吸気手段を併設してサイフォン現象を防止すれば、非常時に槽本体部分５８内の水道水は配水管３４ｑに流れず、非常取水栓に接続する配水管３４ｐに流れるため、無駄なく槽本体部分５８内の水道水を非常取水栓から取り出すことができる。
【００６８】
なお、槽本体５６を地中４６などに配置して、槽本体部分５８に図５に示す取水口４８などを設けたり、図６のポンプ４９ａなどを接続したりすることもできる。また、槽本体部分５８の内部に図７に示すオリフィス板５２を設けることもできる。さらに、槽本体部分５８を傾けたり、各槽本体部分５８の代わりに図４の槽本体４３と同様に底部を傾けた槽本体部分を用いたりしてもよい。
【００６９】
また、配水管３４ｐは１つに連結されているため、水道水が、導入管６０から各槽本体部分５８へ供給されるだけでなく、配水管３４ｈを通じて槽本体部分５８へ供給される場合もある。
【００７０】
そして、３つの配水管３４ｐを１つに連結したが、３つの配水管３４ｐを連結しなくてもよい。この場合、層本体部分５８から延びる配水管３４ｐをそれぞれ非常時に非常取水栓として利用される別々の通常取水栓に接続される。
【００７１】
さらに、導入面２６に導入口３０および給水口３２ｐを設け、導入口３０に導入管６０を接続し、給水口３２ｐに配水管３４ｐを接続した。これに対して、図１２に示すように、導入面２６に導入口３０を設けず、給水口３２ｐのみを設ける。そして、給水口３２ｐに配水管３４ｐを接続し、その配水管３４ｐに給水管２４を接続することもできる。これにより、配水管３４ｐの一部が給水管２４または導入管６０と兼用される。
【００７２】
図１３に示すこの発明の他の実施例である貯水槽１０の槽本体５７は、たとえば３つの槽本体部分５９、５９ａ、５９ｂ、５９ｃを含み、各槽本体部分５９の導入面２６に導入口３０が設けられる。その内の２つの槽本体部分５９ａ、５９ｂの各導出面２８に、たとえば２つの給水口３２ｆ、３２ｈが設けられる。残る１つの槽本体部分５９ｃの導出面２８の上部に、たとえば４つの給水口３２ｚが設けられ、導出面２８の最下部に、たとえば１つの給水口３２ｈが設けられる。
【００７３】
そして、槽本体部分５９ａの導入口３０に給水管２４が接続され、槽本体部分５９ａの２つの給水口３２の内の最上部の給水口３２ｆに連結管６１の一端が接続される。この連結管６１の他端は槽本体部分５９ｂの導入口３０に接続され、槽本体部分５９ｂの最上部の給水口３２ｆに別の連結管６１の一端が接続される。この連結管６１の他端は槽本体部分５９ｃの導入口３０に接続される。槽本体部分５９ｃの上部の給水口３２ｚにそれぞれ配水管３４ｚが接続され、各配水管３４ｚは洗面所やキッチンなどの給水栓などに接続される。そして、３つの槽本体部分５９ａ、５９ｂ、５９ｃの最下部の給水口３２ｈにそれぞれ配水管３４ｈが接続され、これらの配水管３４ｈは１つに連結されて、非常時に非常
取水栓として利用される通常取水栓、たとえば浴室１６の給水栓１６ａ（図１）に接続される。
【００７４】
この槽本体５７を使用する場合、水道水は給水管２４から槽本体部分５９ａ内に流入し、続いて連結管６１、槽本体部分５９ｂ、連結管６１および槽本体部分５９ｃの中を流れて、各槽本体部分５９ａ、５９ｂ、５９ｃに貯められる。そして、通常取水栓が使用されると、槽本体部分５９ｃ内の水道水は配水管３４ｚ、３４ｈを通って通常取水栓に供給される。それに伴い、槽本体部分５９ａおよび５９ｂの水道水は順に槽本体部分５９ｃに供給され、新たな水道水が給水管２４から槽本体部分５９ａに供給される。また、非常時には、各槽本体部分５９ａ、５９ｂ、５９ｃの水道水が配水管３４ｈから非常取水栓に供給される。
【００７５】
なお、図１３の槽本体５７を地中４６などに配置して、槽本体部分５９に図５に示す取水口４８などを設けたり、図６のポンプ４９ａなどを接続したりすることもできる。
【００７６】
また、槽本体部分５９の内部に図７に示すオリフィス板５２を設けることもできる。
【００７７】
さらに、槽本体部分５９の代わりに図４の槽本体４３と同様に底部を傾けた槽本体部分を用いてもよい。
【００７８】
さらに、槽本体部分５９ｃの４つの給水口３２ｚをそれぞれ配水管３４ｚにより通常取水栓に接続したが、この代わりに図８に示すように導出面２８に１つの給水口を設け、これに接続する配水管を分岐して各通常取水栓に接続してもよい。
【００７９】
そして、３つの配水管３４ｈを１つに連結したが、３つの配水管３４ｈを連結しなくてもよい。この場合、層本体部分５９ａ、５９ｂ、５９ｃから延びる配水管３４ｈをそれぞれ非常時に非常取水栓として利用される別々の通常取水栓に接続される。
【００８０】
図１４に示すこの発明の他の実施例である貯水槽１０は槽本体６２を備える。槽本体６２は複数、この実施例では２つの槽本体部分６４を含み、２つの槽本体部分６４は接続管６６により直列に接続されて、たとえば、浴室１６（図１）の上に配置される。
【００８１】
槽本体部分６４は、図２に示す槽本体１２の径より小径の硬質塩化ビニルやポリエチレンなど合成樹脂製パイプなどであり、その両開口は導入面２６および導出面２８で塞がれる。槽本体部分６４の内容量を合わせた全内容量はたとえば、４５リットルである。導入面２６には導入口３０が設けられ、導出面２８には複数、この実施例では２つの給水口３２が設けられる。
【００８２】
２つの槽本体部分６４の内、一方の第１槽本体部分６４ａの導入口３０に給水管２４が接続され、各給水口３２に配水管３４ｊおよび接続管６６が接続される。接続管６６は他方の第２槽本体部分６４ｂの導入口３０に接続され、第２槽本体部分６４ｂの各給水口３２に配水管３４ｋおよび３４ｍが接続される。
【００８３】
各槽本体部分６４を傾け、導入面２６が導出面２８より上になるようにし、かつ第１槽本体部分６４ａを第２槽本体部分６４ｂより上位に配置する。すなわち、各槽本体部分６４の底部および接続管６６は傾斜する。第１槽本体部分６４ａは２つの槽本体部分６４の内の最上位に接続され、第２槽本体部分６４ｂは最下位に接続される。この第１槽本体部分６４ａの最上部に吸気孔や吸排気孔４０などを設け、吸排気孔４０に吸排気弁４２を取り付ける。第２槽本体部分６４ｂの最下部に設けられる給水口３２ｍに配水管３４ｍを接続して、配水管３４ｍを通常取水栓に接続する。この通常取水栓は、たとえば浴室１６の
給水栓１６ａ（図１）であり、通常時には通常取水栓として使用されるが、非常時には非常取水栓として使用される。また、各配水管３４ｊ、３４ｋは宅内の通常取水栓（図１）、たとえば、洗面所３６やキッチン３８などの給水栓、トイレ１８のタンクに接続される。
【００８４】
この貯水槽１０を通常時に使用する場合、水道水は給水管２４から第１槽本体部分６４ａに導入され、第１槽本体部分６４ａ内を流下して、その一部は配水管３４ｊを通って通常取水栓に供給される。他の一部は接続管６６を通って第２槽本体部分６４ｂに導入され、第２槽本体部分６４ｂ内を流下して、さらにその一部は配水管３４ｋおよび３４ｍを通って各通常取水栓に供給される。
【００８５】
非常時に貯水槽１０を使用する場合、浴室１６の給水栓１６ａ（図１）を開けると、槽本体部分６４内の水道水は第１槽本体部分６４ａおよび第２槽本体部分６４ｂから配水管３４ｍを通って自然流下し、浴室１６の給水栓１６ａから取り出される。このように、槽本体部分６４内の水道水は略最下部にある給水口３２ｍへ集められ、しかも水道水を使用するに伴い、空気は第１槽本体部分６４ａの吸排気弁４２から吸引されるため、槽本体部分６４は陰圧になることなく、槽本体部分６４内の水道水を無駄なく使用できる。
【００８６】
なお、槽本体６２を地中４６などに配置して、槽本体部分６４に図５に示す取水口４８などを設けたり、図６のポンプ４９ａなどを接続したりすることもできる。
【００８７】
また、槽本体部分６４の内部に図７に示すオリフィス板５２を設けることもできる。
【００８８】
さらに、各槽本体部分６４自体を傾斜させずに、槽本体部分６４の代わりに図４の槽本体４３と同様に底部を傾けた槽本体部分を用いてもよい。
【００８９】
なお、各貯水槽１０の共通する部分については同じ番号を付して、その番号の説明は省略している。
【００９０】
また、上記の全ての実施例では、１つの通常取水栓を非常取水栓と兼用にしたが、この取水栓を非常取水栓専用にしてもよい。そして、浴室１６の給水栓１６ａを非常取水栓として使用したが、これに限定されず、キッチン３８の給水栓など別の給水栓も非常取水栓として適宜使用することができる。
【００９１】
さらに、図１１に示す水道水の給水を止める止水手段を図２〜図７の槽本体１２に接続する配水管３４ａ、３４ｂ、３４ｃ、３４ｄ、図９および図１０の槽本体部分５８に接続する配水管３４ｆ、図１３の槽本体部分５９ｃの配水管３４ｚならびに図１４の槽本体部分６４に接続する配水管３４ｊ、３４ｋに用いることができる。
【００９２】
図１５〜図１９に示すこの発明の他の実施例である貯水槽１０は槽本体を備える。槽本体６８は、断熱材などで形成されたケース７０に横置きで収められ、家１４（図１）の中の非常取水栓として利用される通常取水栓の位置より高い位置に配置される。槽本体６８は、複数、この実施例では３つの槽本体部分７２、つまり第３槽本体部分７２ａ、第４槽本体部分７２ｂおよび第５槽本体部分７２ｃを含む。槽本体部分７２は管部７４および２つのキャップ部７６を有し、キャップ部７６は管部７４の両端のそれぞれの外面にＴＳ接合法で装着される。管部７４には、図９と同様の硬質塩化ビニルやポリエチレンなど合成樹脂製パイプなどが用いられ、３つの管部７４は同じ長さに設定される。
【００９３】
図２０（Ａ）および図２０（Ｂ）に示すように、キャップ部７６の底面は曲面で形成され、水圧に耐えるように設計されている。キャップ部７６の側壁７８は円筒状であり、そ
の内面は管部７４の内面より外側に配置され、管部７４の内面より外側で側壁７８の内面より内側に空間が形成される。また、側壁７８の円周方向に間隔を隔てて、たとえば２つの受口８０が設けられる。受口８０は側壁７８の管軸および管部７４の管軸に対して直交する方向に突き出し、２つの受口８０は平行に延びる。２つの受口８０が側方を向くように槽本体部分７２を配置した場合、上側に位置する第１受口８０ａの最上部は側壁７８の内面の最上部とほぼ同じ高さにあり、受口８０の内面は側壁７８の内面と滑らかに繋がる。下側に位置する第２受口８０ｂの最下部は側壁７８の内面の最下部とほぼ同じ高さにあり、受口８０の内面は側壁７８の内面と滑らかに繋がる。また、第１受口８０ａのほぼ上側半分は管部７４の内面の最上部より上方に位置し、第１受口８０ａは、管部７４の内面とキャップ部７６の最上部との間に設けられ、キャップ部７６の中で管部７４の内面より高い位置に形成された空間に連通される。第２受口８０ｂのほぼ下側半分は管部７４の管底より下側に位置し、第２受口８０ｂは、管部７４の管底とキャップ部７６の最下部（側壁７８の内面の最下部）との間に設けられ、キャップ部７６の中で管部７４の管底より低い位置に形成された空間に連通される。
【００９４】
そして、図１５に示すように、２つのキャップ部７６、つまり第１キャップ部７６ａおよび第２キャップ部７６ｂの受口８０は、互いに反対方向を向くように、１つの槽本体部分７２の対角となる位置に配置される。
【００９５】
図１５〜図１９に示すように、３つの槽本体部分７２は位置をずらして平行に並べられ、３つの槽本体部分７２の第１キャップ部７６ａの受口８０はそれぞれ同じ方向を向くように配置される。
【００９６】
各槽本体部分７２の第１キャップ部７６ａの第１受口８０ａは導入口として利用され、第１受口８０ａのそれぞれに導入管８２が接合され、３つの導入管８２は１つの給水管８４に連結される。給水管８４は、導入管８２に対して直交方向に延びて、ケース７０の側面７０ａを貫通し、水道管２２（図１）と接続される。また、給水管８４にバルブ８６およびバルブ８６に内蔵された逆止弁が設けられる。
【００９７】
また、各槽本体部分７２の第１キャップ部７６ａの第２受口８０ｂは給水口として利用される。第２受口８０ｂに第１配水管８８ａが接合され、３つの第１配水管８８ａは１つの第１配水本管８８ｂに連結される。第１配水本管８８ｂは、給水管８４の下側に位置して、第１配水管８８ａに対して直交方向に延びる。そして、ケース７０の側面７０ａを貫通して、非常時に非常取水栓として利用される通常取水栓に接続される。
【００９８】
３つの槽本体部分７２の第２キャップ部７６ｂの第１受口８０ａは給水口として利用される。第１受口８０ａにそれぞれ第２配水管８８ｃが接合され、第２配水管８８ｃは第１受口８０ａの高さと同じ高さを維持したまま、直角に曲がって、ケース７０の側面７０ａを貫通し、通常取水栓に接続される。
【００９９】
第３槽本体部分７２ａおよび第４槽本体部分７２ｂの第２キャップ部７６ｂの第２受口８０ｂは給水口として利用され、第２受口８０ｂのそれぞれに第３配水管８８ｄが接合される。第３配水管８８ｄは、上側に屈曲して第１受口８０ａと同じ高さまで延びて、そこから直角に曲がって、この位置に吸気管９０が連結される。第３配水管８８ｄおよび吸気管９０はケース７０の側面７０ａを貫通して、吸気管９０の先は吸気口９０ａとして開口し、第３配水管８８ｄは通常取水栓に接続される。
【０１００】
第５槽本体部分７２ｃの第２キャップ部７６ｂの第２受口８０ｂは給水口として利用され、第２受口８０ｂに第４配水管８８ｅが接合される。第４配水管８８ｅは、第２受口８０ｂと同じ高さのまま延びて、ケース７０の側面７０ａを貫通して、通常取水栓と接続される。この通常取水栓には洗濯機や給湯器など無圧では給水作動しない無圧無給水の通常
取水栓が用いられる。
【０１０１】
導入管８２、給水管８４、配水管８８および吸気管９０は合成樹脂などで形成される。
【０１０２】
このような槽本体６８に水道水を供給すると、水道水は、給水管８４を通り、給水管８４から分岐する３つの導入管８２のそれぞれを通って、各槽本体部分７２内に流入する。このとき、第２キャップ部７６ｂの第１受口８０ａの第２配水管８８ｃに接続された通常取水栓を開いておくと、ここから槽本体部分７２内の空気が抜けるため、空気弁を設けなくても、水道水はスムーズに各槽本体部分７２に流入して、各槽本体部分７２を満たす。
【０１０３】
水道水は、図２０（Ｃ）に示すように、第１キャップ部７６ａの第１受口８０ａから管部７４の管軸に直交する方向へ流入し、側壁７８の内面に沿って円を描くように流れる。これにより、管軸方向への水勢圧は低減されながら、水道水は第２キャップ部７６ｂの方向へ進む。また、各槽本体部分７２の径は配水管８８の径に比べて大きく、かつ１本の給水管８４から複数の槽本体部分７２に水道水が供給されるため、通常取水栓で生じた水勢圧は槽本体部分７２内で緩和される。しかも、第２キャップ部７６ｂの曲面状の底面により第２キャップ部７６ｂへ到達した水道水の水勢圧はさらに低減される。このため、第２配水管８８ｃの通常取水栓を開栓されず、槽本体部分７２内の空気の圧力が上昇するような場合でも、初期の通水により槽本体部分７２は破壊されず、貯水槽１０に安全に貯水することができる。
【０１０４】
そして、図１５〜図１９に示すように、槽本体部分７２内の空気が通常取水栓から抜けながら水道水が槽本体部分７２へ供給され、また、水道水には給水圧が作用するため、槽本体部分７２の中に空気が残ることなく、３つの槽本体部分７２のそれぞれは水道水で満たされる。このため、槽本体部分７２の内部の水道水は衛生的に保たれる。
【０１０５】
各槽本体部分７２に水道水が満たされた後、通常取水栓から水道水を取り出すと、槽本体部分７２の中の水道水はその通常取水栓と接続する配水管８８へ流れ出し、それに伴い導入管８２から新鮮な水道水が槽本体部分７２へ供給される。このとき、新たな水道水は管部７４の管軸と直交方向に流入し、流入する第１キャップ部７６ａの受口８０と対角の位置にある第２キャップ部７６ｂの受口８０から槽本体部分７２内の水道水は流出するため、槽本体部分７２内の水道水は攪拌され、水道水の入れ替えが促進される。
【０１０６】
非常時には、非常取水栓として利用される通常取水栓から槽本体部分７２内の水道水を取り出す。水道水は、３つの槽本体部分７２のそれぞれにおいて第１キャップ部７６ａの第２受口８０ｂから第１配水管８８ａへ流れ出し、第１配水本管８８ｂで合流し、通常取水栓へと自然流下する。これにより、１つの通常取水栓から３つの槽本体部分７２内の水道水を取り出せる。また、非常取水栓と兼用される通常取水栓を通常通りに使用するだけで、特別な知識、装置あるいは器具などを必要とせず槽本体部分７２内に貯水された水道水を使用することができる。
【０１０７】
そして、槽本体部分７２の水道水が流出するのに伴い、第３配水管８８ｄに設けられた吸気口９０ａから槽本体部分７２内へ空気が取り込まれることにより、第３槽本体部分７２ａおよび第４槽本体部分７２ｂの内部は陰圧にならず、槽本体部分７２内の水道水を残らず取り出せる。また、第５槽本体部分７２ｃには吸気口９０ａが設けられていないが、第５槽本体部分７２ｃは第３槽本体部分７２ａおよび第４槽本体部分７２ｂと導入管８２および給水管８４により連結されているため、第３槽本体部分７２ａおよび第４槽本体部分７２ｂの空気が導入管８２および給水管８４を通って第５槽本体部分７２ｃへ取り込まれる。よって、第５槽本体部分７２ｃも陰圧にならず、水道水はスムーズに取り出される。なお、第５槽本体部分７２ｃの第２配水管８８ｃに接続された通常取水栓を開くことに
よっても、この通常取水栓から第５槽本体部分７２ｃに空気が取り入れられるため、水道水はスムーズに取り出される。
【０１０８】
また、管部７４の端の外面にキャップ部を装着して、キャップ部７６内で管部７４の管底より低い位置に空間を形成し、かつこの空間に連通する第１配水管８８ａが接続される第２受口８０ｂに非常取水栓を接続することにより、非常時に槽本体部分７２を傾けなくても、槽本体部分７２内の水道水は管底より低い空間に流下して集められ、この水道水を無駄なく使用することができる。
【０１０９】
図１５〜図１９に示すように、水道管２２（図１）などが破損しても、逆止弁により槽本体部分７２内の水道水が給水管８４から流出してしまうことはない。たとえ、逆止弁が故障したとしても、給水管８４は槽本体部分７２の高い位置にある第１受口８０ａに接合されているため、槽本体部分７２内の水道水は抜け出しにくい。
【０１１０】
また、第３配水管８８ｄは第２受口８０ｂに接合されているが、第１受口８０ａの高さまで上げられていることにより、これが止水手段としての役目を果たし、槽本体部分７２内の水道水は不用意に抜け出しにくい。さらに、第３配水管８８ｄが陰圧になっても、吸気口９０ａから第３配水管８８ｄへ空気が吸引されるため、槽本体部分７２内の水道水が吸い出されるおそれもない。
【０１１１】
さらに、第５槽本体部分７２ｃの第４配水管８８ｅのみ第１受口８０ａの位置より下方に設けられているが、第４配水管８８ｅは無圧では給水作動しないものに接続されているため、非常時のような給水圧が作用しない場合に、第４配水管８８ｅから槽本体部分７２内の水道水が流出することはない。
【０１１２】
このような槽本体部分７２内の水道水の流出防止手段が設けられていることにより、非常時の水道水が供給されない場合だけでなく、非常時に配水管８８の破損などが生じた場合でも、槽本体部分７２内の貯水は確保される。
【０１１３】
この実施例によれば、槽本体部分７２を管部７４とキャップ部７６とに分け、キャップ部７６に受口８０を設けることにより、管部７４の長さを変えて槽本体部分７２の貯水量を調整したり、槽本体６８の大きさを配置スペースに合わせたりすることができる。
【０１１４】
そして、受口８０を槽本体部分７２の側方に配置することにより、給水管８４や配水管８８などを槽本体部分７２より上位に配管する必要がないため、槽本体６８の高さを低く抑えることができる。よって、槽本体６８の薄型化が図れる。
【０１１５】
また、キャップ部７６どうしは連結されず、槽本体部分７２はそれぞれ独立しているため、第２キャップ部７６ｂに接続された通常取水栓を開栓することにより、水道水は各槽本体部分７２内を一方向に流れ、水道水の入れ替えはスムーズに行われる。
【０１１６】
さらに、配水管８８に吸気口９０ａを設けたり、通常取水栓を開いたりすることにより、槽本体部分７２内の空気の吸排気が行われるため、槽本体６８に空気弁などを設ける必要がない。よって、槽本体６８の小型化が図られ、しかも貯水槽１０のシステムが単純化されるため、貯水槽１０の信頼性が向上する。
【０１１７】
また、槽本体部分７２はそれぞれ通常取水栓に接続され、槽本体部分７２内の水道水は生活用水として利用されているため、槽本体部分７２内の水道水は頻繁に入れ替わり、衛生的に保たれる。このため、槽本体部分７２をメンテナンスする必要がないが、仮にメンテナンスする際でも、給水管８４のバルブ８６を止め、槽本体部分７２内を空にしてから、バルブを開き水道水を給水管８４から槽本体部分７２へ最大の水圧で通水すると、その水圧の作用により槽本体部分７２の内面の汚れは除去されるため、簡単に清掃することができる。
【０１１８】
なお、３つの槽本体部分７２を傾斜させることもできる。第１キャップ部７６ａを第２キャップ部７６ｂより下方になるように槽本体部分７２を傾斜させることにより、非常時、槽本体部分７２内の水道水は第１キャップ部７６ａに集まるため、水道水を確実に取り出すことができる。
【０１１９】
また、第３配水管８８ｄを第１受口８０ａの高さと同じ高さに配管したが、これらを第１受口８０ａより下側に配置してもよい。これに対して、第４配水管８８ｅを第１受口８０ａの高さより下側に配管したが、この第４配水管８８ｅを第１受口８０ａの高さまで上げて配置してもよい。
【０１２０】
さらに、３つの槽本体部分７２の管部７４の長さを同じにしたが、３つの槽本体部分７２の管部７４の長さをそれぞれ変えることもできる。
【０１２１】
そして、槽本体６８は３つの槽本体部分７２を含むが、槽本体部分７２の数は収納スペースや必要貯水量などに応じて適宜決められる。
【０１２２】
また、非常取水栓を通常取水栓と兼用しているが、非常取水栓を専用に用いることもできる。
【０１２３】
さらに、槽本体部分７２の代わりに図４の槽本体４３に対応する槽本体部分を用いたりすることができる。また、槽本体６８を地中４６（図１）などに配置して、槽本体部分７２に図５に示す取水口４８などを設けたり、図６のポンプ４９ａなどを接続したりすることもできる。さらに、槽本体部分７２の内部に図７に示すオリフィス板５２を設けることもできる。
【０１２４】
図２１に示すこの発明の他の実施例である貯水槽１０は、図１５に示す貯水槽１０とほぼ同じであるが、槽本体６８の配置場所および非常取水栓が異なる。図１５に示す貯水槽１０では、槽本体６８は家１４の中の非常取水栓の位置より高い位置に配置され、非常取水栓と通常取水栓とは兼用されている。これに対して、図２１に示す貯水槽１０では、槽本体６８は全ての通常取水栓より下位である床下に設置され、非常取水栓が通常取水栓と別に設けられている。これ以外の部分に関しては図１５実施例の示す貯水槽１０と同様であるため、説明は省略する。
【０１２５】
第１キャップ部７６ａの第２受口８０ｂに第１配水管８８ａが接続され、３つの第１配水管８８ａは１つに第１配水本管８８ｂに連結される。第１配水本管８８ｂは、第１配水管８８ａに対して直交方向に延びて、ケース７０の側面７０ａを貫通し、第１ａ配水管８８ｂａと第１ｂ配水管８８ｂｂとに分岐する。第１ａ配水管８８ｂａは通常取水栓に接続されて、第１ｂ配水管８８ｂｂは非常取水栓として蛇口９２などに接続される。
【０１２６】
床下には、一般的に床９４から地表面９６までの高さｈが４０〜６０ｃｍの空間が設けられており、この空間に台座９８などが配置され、その上に槽本体６８が載せられる。台座９８の高さは、槽本体６８の最上部が床９４より少し下側になるように、設定される。蛇口９２は台座９８の端より外側に位置し、蛇口９２と地表面９６との間に空間が形成される。非常時にはこの空間に容器を置くことにより、蛇口９２からの水道水を容器で受けることができる。
【０１２７】
なお、槽本体部分７２を傾けたり、槽本体部分７２の代わりに図４の槽本体４３に対応する槽本体部分を用いたりすることができる。また、槽本体部分７２の内部に図７に示すオリフィス板５２を設けることもできる。
【０１２８】
図２２および図２３に示すこの発明の他の実施例である貯水槽１０は、図１５に示す貯水槽１０とほぼ同じであるが、槽本体６８の配置場所および非常取水栓が異なる。これ以外の部分に関しては図１５実施例の示す貯水槽１０と同様であるため、説明は省略する。
【０１２９】
３つの第１配水管８８ａが連結した第１配水本管８８ｂは、第１配水管８８ａに対して直交方向に延びて、ケース７０の側面７０ａを貫通する。そして、上側に曲がって、第１受口８０ａの高さで第１ａ配水管８８ｂａと第１ｂ配水管８８ｂｂとに分岐する。第１ａ配水管８８ｂａは第１配水本管８８ｂから直交方向に延びて、通常取水栓に接続される。第１ｂ配水管８８ｂｂは、第１配水本管８８ｂを延長するように槽本体部分７２より上位まで鉛直方向に延びる。第１ｂ配水管８８ｂｂにバルブ（図示せず）などが取り付けられ、その先は開口し、蓋（図示せず）で塞がれている。蓋は開閉可能で、通常閉められているが、必要に応じて開かれて、第１ｂ配水管８８ｂｂの開口は非常取水栓として利用される。
【０１３０】
槽本体６８は、全ての通常取水栓より下位である床下の空間の地表面９６上に配置される。
【０１３１】
非常時には、第１ｂ配水管８８ｂｂのバルブおよび蓋を開けて、第２ｂ配水管８８の開口に手動ポンプや図６に示す蓄電池４９ｂに接続されたポンプ４９ａなどを取り付けて、槽本体部分７２内の水道水を汲み出す。
【０１３２】
なお、槽本体部分７２を傾けたり、槽本体部分７２の代わりに図４の槽本体４３に対応する槽本体部分を用いたりすることができる。また、槽本体部分７２の内部に図７に示すオリフィス板５２を設けることもできる。
【０１３３】
図２４〜図２７に示すこの発明の他の実施例である貯水槽１０は、槽本体６８を備える。槽本体６８は、たとえば３つの槽本体部分７２、つまり第６槽本体部分７２ｄ、第７槽本体部分７２ｅおよび第８槽本体部分７２ｆを含む。３つの槽本体部分７２はそれぞれ横置きされ、平行に並べられて地中に埋設される。なお、図１５に示す貯水槽１０と同様により共通する部分については同じ番号を付して説明を省略する。
【０１３４】
第６槽本体部分７２ｄの第１キャップ部７６ａの第１受口８０ａは導入口として利用され、第１受口８０ａに給水管８４が接合され、給水管８４には逆止弁（図示せず）やバキュームブレーカ（図示せず）などが取り付けられる。第２受口８０ｂは給水口として利用され、第２受口８０ｂに第５配水管８８ｆが接合される。第５配水管８８ｆは、上側に曲がり、第５ａ配水管８８ｆａと第５ｂ配水管８８ｆｂとに分岐する。第５ａ配水管８８ｆａは第５配水管８８ｆから直交方向に延びて、散水用などの第１通常取水栓に接続される。第５ｂ配水管８８ｆｂは、第５配水管８８ｆを延長するように延びて、バルブ（図示せず）などが取り付けられ、その先は開口し、蓋（図示せず）で塞がれている。蓋は開閉可能で、通常閉められているが、必要に応じて開かれて、第５ｂ配水管８８ｆｂの開口は非常取水栓として利用される。
【０１３５】
第６槽本体部分７２ｄの第２キャップ部７６ｂの第１受口８０ａは第７槽本体部分７２ｅの第２キャップ部７６ｂの第１受口８０ａと接続管１００で接続され、第６槽本体部分７２ｄの第２キャップ部７６ｂの第２受口８０ｂは第７槽本体部分７２ｅの第２キャップ部７６ｂの第２受口８０ｂと接続管１００で接続される。
【０１３６】
第６槽本体部分７２ｄおよび第７槽本体部分７２ｅの第２キャップ部７６ｂと同様に、第７槽本体部分７２ｅの第１キャップ部７６ａの第１受口８０ａは第８槽本体部分７２ｆの第１キャップ部７６ａの第１受口８０ａと接続管１００で接続され、第７槽本体部分７２ｅの第１キャップ部７６ａの第２受口８０ｂは第８槽本体部分７２ｆの第１キャップ部７６ａの第２受口８０ｂと接続管１００で接続される。
【０１３７】
第８槽本体部分７２ｆの第２キャップ部７６ｂの第１受口８０ａは吸気孔や吸排気孔として利用され、この第１受口８０ａに吸排気管１０２が接合され、吸排気管１０２の先に空気弁１０４が接続される。第２受口８０ｂは給水口として利用され、第２受口８０ｂに第６配水管８８ｇが接合され、第６配水管８８ｇに第２通常取水栓が接続される。
【０１３８】
このように３つの槽本体部分７２は接続管１００で直列に連結されて、１つの流路が形成される。この流路は、第６槽本体部分７２ｄの第１キャップ部７６ａの位置で最も低くなり、そこから徐々に高くなって、第８槽本体部分７２ｆの第２キャップ部７６ｂの高さが最も高くなるように形成される。つまり、第６槽本体部分７２ｄの第１キャップ部７６ａの上側に第６槽本体部分７２ｄの第２キャップ部７６ｂが位置し、第６槽本体部分７２ｄの第２キャップ部７６ｂと同じ高さに第７槽本体部分７２ｅの第２キャップ部７６ｂが位置し、第７槽本体部分７２ｅの第２キャップ部７６ｂの上側に第７槽本体部分７２ｅの第１キャップ部７６ａが位置し、第７槽本体部分７２ｅの第１キャップ部７６ａと同じ高さに第８槽本体部分７２ｆの第１キャップ部７６ａが位置し、第８槽本体部分７２ｆの第１キャップ部７６ａの上側に第８槽本体部分７２ｆの第２キャップ部７６ｂが位置する。
【０１３９】
このため、給水管８４から水道水を供給すると、空気弁１０４から槽本体部分７２内の空気が抜けながら、水道水は、第１キャップ部７６ａの第１受口８０ａから第６槽本体部分７２ｄ内に流入し、第１キャップ部７６ａ側から第２キャップ部７６ｂ側へ水道水が溜まっていく。そして、第６槽本体部分７２ｄ内に水道水が満たされると、次に、水道水は２キャップ部７６の第１受口８０ａおよび第２受口８０ｂから流出して、接続管１００を通って、第７槽本体部分７２ｅの第２キャップ部７６ｂの第１受口８０ａおよび第２受口８０ｂから流入する。第７槽本体部分７２ｅに流入した水道水は、第２キャップ部７６ｂ側から第１キャップ部７６ａ側へ水道水が溜まっていき、第７槽本体部分７２ｅ内を満たすと、第１キャップ部７６ａの第１受口８０ａおよび第２受口８０ｂから第８槽本体部分７２ｆへ流出する。さらに、水道水は、第８槽本体部分７２ｆを満たし、槽本体６８全体を満たす。
【０１４０】
通常時に第２通常取水栓を使用すると、第８槽本体部分７２ｆ内の水道水は第６配水管８８ｇから取り出されて、それに伴い、新たな水道水が給水管８４から第６槽本体部分７２ｄへ供給される。これにより、３つの槽本体部分７２内の水道水が新たな水道水に入れ替えられる。
【０１４１】
また、第１通常取水栓を使用すると、第６槽本体部分７２ｄ内の水道水は、第５配水管８８ｆを通り、第５ａ配水管８８ｆａへ流れて、第１通常取水栓から取り出される。これにより、断水工事などで濁った水が槽本体部分７２内に流入した場合でも、第１通常取水栓から濁った水を取り出すことができる。
【０１４２】
そして、第１通常取水から水道水を取り出すに伴い、新たな水道水は給水管８４から第６槽本体部分７２ｄ内に供給される。よって、第５配水管８８ｆおよび第５ａ配水管８８ｆａの水道水も新たな水道水へ替えられる。
【０１４３】
非常時には、第５ｂ配水管８８ｆｂのバルブおよび蓋を開けて、第５ｂ配水管８８ｆｂ
の開口に手動ポンプや図６に示す蓄電池４９ｂに接続されたポンプ４９ａなどを取り付けて、槽本体部分７２内の水道水を汲み出す。
【０１４４】
なお、槽本体部分７２の代わりに図４の槽本体４３に対応する槽本体部分を用いることができる。また、槽本体部分７２の内部に図７に示すオリフィス板５２を設けることもできる。さらに、槽本体６８をケース７０内に収めることもできる。
【０１４５】
図２８〜図３０に示すこの発明の他の実施例である貯水槽１０は、槽本体６８を備える。槽本体６８は、たとえば２つの槽本体部分７２、つまり第９槽本体部分７２ｇおよび第１０槽本体部分７２ｈを含む。各槽本体部分７２は、管部７４の管軸が鉛直方向を向き、第１キャップ部７６ａが第２キャップ部７６ｂより下側になるように配置され、２つの槽本体部分７２は平行に並べられる。なお、図１５に示す貯水槽１０と同様により共通する部分については同じ番号を付して説明を省略する。
【０１４６】
第９槽本体部分７２ｇの第１キャップ部７６ａの第１受口８０ａに導入管８２が接合され、導入管８２は給水管８４および第７ａ配水管８８ｈａに分岐される。給水管８４には逆止弁（図示せず）やバキュームブレーカ（図示せず）などが取り付けられ、給水管８４は水道管２２（図１）と接続される。第７ａ配水管８８ｈａは鉛直方向に延びて、バルブ（図示せず）などが取り付けられ、その先は鉛直方向の上側に開口し、蓋（図示せず）で塞がれている。蓋は開閉可能で、通常閉められているが、必要に応じて開かれて、第７ａ配水管８８ｈａの開口は非常取水栓として利用される。このため、第１受口８０ａは、通常時に導入口として利用され、非常時に給水口として利用される。なお、導入管８２は非常取水栓と繋がる配水管と兼用される。
【０１４７】
第９槽本体部分７２ｇの第１キャップ部７６ａの第２受口８０ｂは給水口として利用される。第２受口８０ｂに第８配水管８８ｉが接合され、第８配水管８８ｉは散水用などの第１通常取水栓に接続される。
【０１４８】
第９槽本体部分７２ｇの第２キャップ部７６ｂの第１受口８０ａに吸排気管１０２が接合される。
【０１４９】
第９槽本体部分７２ｇの第２キャップ部７６ｂの第２受口８０ｂは第１０槽本体部分７２ｈの第１キャップ部７６ａの第１受口８０ａと接続管１００で接続される。接続管１００に第７ｂ配水管８８ｈｂが設けられ、第７ｂ配水管８８ｈｂは鉛直方向の上側に延びて、バルブ（図示せず）などが取り付けられ、その先は開口し、蓋（図示せず）で塞がれている。蓋は開閉可能で、通常閉められているが、必要に応じて開かれて、第７ｂ配水管８８ｈｂの開口は非常取水栓として利用される。
【０１５０】
第１０槽本体部分７２ｈの第１キャップ部７６ａの第２受口８０ｂは給水口として利用される。第２受口８０ｂに第９配水管８８ｊが接合され、第９配水管８８ｊは第８配水管８８ｉと連結されて、第１通常取水栓に接続される。
【０１５１】
第１０槽本体部分７２ｈの第２キャップ部７６ｂの第１受口８０ａに吸排気管１０２が接合される。第２受口８０ｂは給水口として利用され、第２受口８０ｂに第１０配水管８８ｋを介して第２通常取水栓が接続される。
【０１５２】
通常時に第２通常取水栓を使用すると、第１０配水管８８ｋから第１０槽本体部分７２ｈ内の水道水が取り出され、新たな水道水が給水管８４を通って第９槽本体部分７２ｇへ供給される。
【０１５３】
また、第１通常取水栓を使用すると、第９槽本体部分７２ｇおよび第１０槽本体部分７
２ｈの水道水は第８配水管８８ｉおよび第９配水管８８ｊを流れて第１通常取水栓から取り出される。そして、第９槽本体部分７２ｇへ新たな水道水が給水管８４から供給され、第１０槽本体部分７２ｈへ第９槽本体部分７２ｇ内の水道水が連続管より供給される。よって、生活用水の使用により、２つの槽本体部分７２内の水道水は、新たな水道水へ替えられ、衛生的に保たれる。
【０１５４】
非常時には、第７ａ配水管８８ｈａまたは第７ｂ配水管８８ｈｂのバルブおよび蓋を開けて、第７ａ配水管８８ｈａまたは第７ｂ配水管８８ｈｂの開口に手動ポンプや図６に示す蓄電池４９ｂに接続されたポンプ４９ａなどを取り付けて、第９槽本体部分７２ｇまたは第１０槽本体部分７２ｈの水道水を取り出す。これにより、第９槽本体部分７２ｇ内の水道水は、給水管８４から第７配水管８８ｈａまたは第７ｂ配水管８８ｈｂへ流れて、取り出され、第１０槽本体部分７２ｈ内の水道水は、接続管１００から第７配水管８８ｈａまたは第７ｂ配水管８８ｈｂへ流れて、取り出される。
【０１５５】
このように、槽本体部分７２のそれぞれに非常取水栓を設けることにより、各槽本体部分７２内の水道水の残量を把握しやすい。
【０１５６】
また、第８配水管８８ｉおよび第９配水管８８ｊは各槽本体部分７２の下側に取り付けられているため、水より密度の重い異物が水道水に混入していても、異物は槽本体部分７２の底に沈み、水道水とともに第８配水管８８ｉおよび第９配水管８８ｊを通って第１通常取水栓から取り出される。よって、この水道水を散水などに使用することにより、槽本体部分７２内をさらに衛生的に保て、かつ水道水を無駄なく使用することができる。
【０１５７】
なお、図２８に示す槽本体６８を屋内に配置してもよいし、土中に埋設してもよい。
【０１５８】
また、槽本体部分７２の内部に図７に示すオリフィス板５２を設けることもできる。さらに、槽本体６８をケース７０内に収めることもできる。
【０１５９】
図３１に示すこの発明の他の実施例である貯水槽１０は、槽本体６８を備える。槽本体６８は、たとえば２つの槽本体部分７２、つまり第１１槽本体部分７２ｉおよび第１２槽本体部分７２ｊを含む。各槽本体部分７２は、管部７４の管軸が鉛直方向を向き、第１キャップ部７６ａが第２キャップ部７６ｂより上側になるように配置され、２つの槽本体部分７２は平行に並べられる。なお、図１５に示す貯水槽１０と同様により共通する部分については同じ番号を付して説明を省略する。
【０１６０】
第１１槽本体部分７２ｉの第１キャップ部７６ａの第１受口８０ａに吸排気管１０２が接合され、吸排気管１０２に空気弁１０４が接続される。第２受口８０ｂは導入口として利用される。第２受口８０ｂに給水管８４が接合され、給水管８４には逆止弁（図示せず）やバキュームブレーカ（図示せず）などが取り付けられる。
【０１６１】
第１１槽本体部分７２ｉの第２キャップ部７６ｂの第１受口８０ａは第１２槽本体部分７２ｊの第２キャップ部７６ｂの第１受口８０ａと接続管１００で接続される。接続管１００に第１１配水管８８ｌが設けられ、第１１配水管８８ｌは鉛直方向の上側に向かって延びて、バルブ（図示せず）などが取り付けられる。第１１配水管８８ｌの先は鉛直方向の上側に開口し、蓋（図示せず）で塞がれ、蓋を開くことにより非常取水栓として利用される。
【０１６２】
第１１槽本体部分７２ｉの第２キャップ部７６ｂの第２受口８０ｂおよび第１２槽本体部分７２ｊの第２キャップ部７６ｂの第２受口８０ｂは給水口として利用される。各第２受口８０ｂに第１２配水管８８ｍが接合され、２つの第１２配水管８８ｍは１つに連結さ
れて、第１通常取水栓に接続される。
【０１６３】
第１２槽本体部分７２ｊの第１キャップ部７６ａの第１受口８０ａに吸排気管１０２が接合され、吸排気管１０２に空気弁１０４が接続される。第２受口８０ｂは給水口として利用される。第２受口８０ｂに第１３配水管８８ｎが接合され、第１３配水管８８ｎに第２通常取水栓が接続される。
【０１６４】
通常時に第２通常取水栓を使用すると、第１２槽本体部分７２ｊ内の水道水が第１３配水管８８ｎから取り出され、新たな水道水が給水管８４から第１１槽本体部分７２ｉへ供給される。
【０１６５】
また、第１通常取水栓を使用すると、第１２槽本体部分７２ｊの水道水が第１２配水管８８ｍを通って第１通常取水栓から取り出されて、新たな水道水が第１１槽本体部分７２ｉへ供給される。
【０１６６】
非常時には、第１１配水管８８ｌのバルブおよび蓋を開けて、第１１配水管８８ｌの開口に手動ポンプや図６に示す蓄電池４９ｂに接続されたポンプ４９ａなどを取り付けて、第１１槽本体部分７２ｉおよび第１２槽本体部分７２ｊの水道水を取り出す。空気弁１０４から空気を吸引しながら、２つの槽本体部分７２内の水道水は、１つの第１１配水管８８ｌ内を流れて、同時に取り出される。
【０１６７】
また、非常時に給水管８４にトラブルが生じても、給水管８４は槽本体部分７２の最上部に配置される第１キャップ部７６ａに接合されているため、槽本体部分７２内の水道水が不用意に流出しにくい。
【０１６８】
なお、図３１に示す槽本体６８を屋内に配置してもよいし、土中に埋設してもよい。
【０１６９】
また、槽本体部分７２の内部に図７に示すオリフィス板５２を設けることもできる。さらに、槽本体６８をケース７０内に収めることもできる。
【０１７０】
なお、槽本体部分を配置位置などに応じて区別する場合には７２に添え字ａ〜ｎを付した７２ａ、７２ｂ、７２ｃなどを用い、これらを包括して表現する場合には７２を用いている。また、７６、８０および８８も同様である。
【０１７１】
そして、槽本体とは、１つの槽本体だけでなく、複数の槽本体部分を含む表現である。
【０１７２】
また、上で挙げた角度や寸法の具体的数値はいずれも単なる一例であり、必要に応じて適宜変更可能である。
【０１７３】
また、配水管３４、５５、８８に浄水器などを組み込むこともできる。
【０１７４】
さらに、槽本体（図１；１２、図４：４３、図８：５１、図９：５６、図１４：６２、図１５、図２１、図２２、図２４、図２８。図３１：６８）と別にトイレ専用貯水槽を貯水槽１０に設け、これを槽本体に併設することができる。この場合、水道水を給水管２４から槽本体に経由させてトイレ専用貯水槽に供給してもよいし、水道水を給水管２４から直接トイレ専用貯水槽に供給してもよい。そして、どちらの場合でもトイレ専用貯水槽からトイレへ配水される。このトイレの配水方式には無圧方式、圧力方式またはアキュムレータ方式などがあるが、これらに限定されない。
【符号の説明】
【０１７５】
１０  …貯水槽
１２、４３、５１、５６、６２、６８  …槽本体
１６ａ  …浴室の給水栓
２４、８４  …給水管
３２  …給水口
３４、５５、８８  …配水管
４０  …吸排気孔
５８、６４、７２  …槽本体部分
６０、８２  …導入管
６６、１００  …接続管
８０  …受口
【図１】
0005302385.tif 000002
【図２】
0005302385.tif 000003
【図３】
0005302385.tif 000004
【図４】
0005302385.tif 000005
【図５】
0005302385.tif 000006
【図６】
0005302385.tif 000007
【図７】
0005302385.tif 000008
【図８】
0005302385.tif 000009
【図９】
0005302385.tif 000010
【図１０】
0005302385.tif 000011
【図１１】
0005302385.tif 000012
【図１２】
0005302385.tif 000013
【図１３】
0005302385.tif 000014
【図１４】
0005302385.tif 000015
【図１５】
0005302385.tif 000016
【図１６】
0005302385.tif 000017
【図１７】
0005302385.tif 000018
【図１８】
0005302385.tif 000019
【図１９】
0005302385.tif 000020
【図２０】
0005302385.tif 000021
【図２１】
0005302385.tif 000022
【図２２】
0005302385.tif 000023
【図２３】
0005302385.tif 000024
【図２４】
0005302385.tif 000025
【図２５】
0005302385.tif 000026
【図２６】
0005302385.tif 000027
【図２７】
0005302385.tif 000028
【図２８】
0005302385.tif 000029
【図２９】
0005302385.tif 000030
【図３０】
0005302385.tif 000031
【図３１】
0005302385.tif 000032